(57)【要約】      （修正有）【課題】パッドの痕跡に起因する肌のシミ、シワをなくし、眼鏡のずり落ちを防止する。【解決手段】メガネの鼻当てに取付けられるパットを、軟質部材で化粧肌に優しくフィットする吸着性及び／又は通気性を備えた柔軟構造体とし、鼻当てに簡易に着脱でき、化粧肌に痕跡を与えず、かつ痕跡に起因する肌のシミ、化粧崩れの防止が図れ、鼻当てと相似形で、かつ鼻当ての表面の曲面形状に整合する形態を確保できるメガネの鼻当てに取付けられるパットである。【選択図】図１
0003136076.tif 000002
【実用新案登録請求の範囲】
【請求項１】
メガネの鼻当てに取付けられるパットにおいて、
このパットは、その素材と、形態の構造に特徴を有する構成であり、
その素材は、軟質部材であって、化粧肌に優しくフィットする吸着性及び／又は通気性を備えた一層、又は多層でなる柔軟構造体で、
またその形態の構造は、鼻当てに簡易に着脱できること、又は化粧肌に痕跡を与えず、かつ前記痕跡に起因する、肌のシミ、化粧崩れの防止が図れ、当該鼻当てと相似形で、この鼻当ての表面の曲面形状に整合する形態を確保できる構造としたメガネの鼻当てに取付けられるパット。
【請求項２】
請求項１に記載のメガネの鼻当てに取付けられるパットであって、
このパットの何れかの一面に、文字及び／又は図柄を刻印するか、又は着色する構造としたメガネの鼻当てに取付けられるパット。
【請求項３】
請求項１に記載のメガネの鼻当てに取付けられるパットであって、
このパットに、文字及び／又は図柄の孔を開設する構造としたメガネの鼻当てに取付けられるパット。
【請求項４】
請求項１に記載のメガネの鼻当てに取付けられるパットであって、
このパットの形状を、その長手方向及び／又はその短手方向に、前記鼻当ての内側面、又は下側面に延設されて緩衝帯域を形成する構造としたメガネの鼻当てに取付けられるパット。
【請求項５】
請求項１に記載のメガネの鼻当てに取付けられるパットであって、
このパットの形状を、その長手方向及び／又はその短手方向に、一部が欠截される構造としたメガネの鼻当てに取付けられるパット。
【考案の詳細な説明】
【技術分野】
【０００１】
本考案は、メガネの鼻当てに取付けられるパットに関する。
【背景技術】
【０００２】
従来、メガネの鼻当てに取付けられるパットに関しては、一般にほとんど市販はされていないが、先行文献として、多数の文献が散見される。そこで、本願発明と関連性がある先行文献を、以下に列挙する。
【０００３】
文献（１）は、特開２００５−６２８９１の「メガネ用パットおよびメガネ類」であり、その概要は、メガネの鼻当てに貼着する不織布、又は繊維構造物でなる通気性を備えたパットと、このパットを鼻当てに貼着したメガネの構造である。この考案は、パットで、化粧肌（肌とする）に痕跡を与えず、かつこの痕跡に起因する、肌のシミ、シワを防止することを意図する。
【０００４】
また文献（２）は、実開昭６２−１６９２２号の「眼鏡のパッド」であり、その概要は、鼻当てに、スポンジ製のパッドを設けた構成であり、眼鏡のずり落ち防止を図る。
【０００５】
さらに文献（３）は、実開昭６３−２０１２１号の「眼鏡用鼻当てパッド」であり、その概要は、鼻当てに、吸水、吸脂性の素材のパッド片を設けた構成であり、眼鏡のずり落ち防止を図る。また剥離台に、複数のパッド片を切離自在に設けた構成とし、このパットの汎用性と、利便性を確保することを意図する。
【０００６】
【特許文献１】特開２００５−６２８９１
【特許文献２】実開昭６２−１６９２２号
【特許文献３】実開昭６３−２０１２１号
【考案の開示】
【考案が解決しようとする課題】
【０００７】
前記文献（１）は、メガネの鼻当てに、通気性を備えたパットを貼着したメガネであり、単に、パットで、肌に痕跡を与えず、かつこの痕跡に起因する、肌のシミ、シワをなくすことに留まっており、一面的な改良と考えられる。
【０００８】
また文献（２）は、鼻当てに、スポンジ製のパットを設けた構成であり、単に、眼鏡のずり落ち防止を図ることに留まっており、一面的な改良と考えられる。
【０００９】
さらに文献（３）は、鼻当てに、吸水、吸脂性の素材のパットを設けた構成であり、単に、眼鏡のずり落ち防止を図ることに留まっており、一面的な改良と考えられる。
【課題を解決するための手段】
【００１０】
請求項１の考案は、軟質部材であって、化粧肌に優しくフィットする吸着性及び／又は通気性を備えた一層、又は多層でなる柔軟構造体で構成し、パットが肌（人肌）に痕跡を与えないこと、またこの痕跡に起因する、肌のシミ、シワの発生を、極力少なくすること等を意図する。また請求項１の考案は、形態の特定を介して、前述と同様に、パットの形状が肌に痕跡を与えないこと、またこの痕跡に起因する、肌のシミ、シワの発生を、極力少なくすること等を意図する。さらに請求項１の考案は、パットの形状を、鼻当てと相似形で、この鼻当ての表面の曲面形状に整合する構造としたので、メガネの着装に違和感がなく、また疲れない等の本来の機能を達成しつつ、かつ前述の特徴を発揮できる実用的なメガネ用のパットの提供を意図する。
【００１１】
請求項１は、メガネの鼻当てに取付けられるパットにおいて、
このパットは、その素材と、形態の構造に特徴を有する構成であり、
その素材は、軟質部材であって、化粧肌に優しくフィットする吸着性及び／又は通気性を備えた一層、又は多層でなる柔軟構造体で、
またその形態の構造は、鼻当てに簡易に着脱できること、又は化粧肌に痕跡を与えず、かつ前記痕跡に起因する、肌のシミ、化粧崩れの防止が図れ、当該鼻当てと相似形で、この鼻当ての表面の曲面形状に整合する形態を確保できる構造としたメガネの鼻当てに取付けられるパットである。
【００１２】
請求項２の考案は、請求項１の目的を達成すること、この目的を達成するのに、最適で、文字の備えたパワーを発揮できるパットの構造を提供することを意図する。
【００１３】
請求項２は、請求項１に記載のメガネの鼻当てに取付けられるパットであって、
このパットの何れかの一面に、文字及び／又は図柄を刻印するか、又は着色する構造としたメガネの鼻当てに取付けられるパットである。
【００１４】
請求項３の考案は、請求項１の目的を達成すること、この目的を達成するのに、最適で、面白味のあるパットの構造（形態の特性）を提供することを意図する。
【００１５】
請求項３は、請求項１に記載のメガネの鼻当てに取付けられるパットであって、
このパットに、文字及び／又は図柄の孔を開設する構造としたメガネの鼻当てに取付けられるパットである。
【００１６】
請求項４の考案は、請求項１の目的を達成すること、この目的を達成するのに、最適で、実用に適するために、緩衝帯域を備えたパットの構造を提供することを意図する。
【００１７】
請求項４は、請求項１に記載のメガネの鼻当てに取付けられるパットであって、
このパットの形状を、その長手方向及び／又はその短手方向に、前記鼻当ての内側面、又は下側面に延設されて緩衝帯域を形成する構造としたメガネの鼻当てに取付けられるパットである。
【００１８】
請求項５の考案は、請求項１の目的を達成すること、この目的を達成するのに、最適で、実用に適したパットの構造（形状）を提供することを意図する。
【００１９】
請求項５は、請求項１に記載のメガネの鼻当てに取付けられるパットであって、
このパットの形状を、その長手方向及び／又はその短手方向に、一部が欠截される構造としたメガネの鼻当てに取付けられるパットである。
【考案の効果】
【００２０】
請求項１の考案は、メガネの鼻当てに取付けられるパットにおいて、
パットは、素材と、形態の構造に特徴を有する構成であり、
素材は、軟質部材であって、化粧肌に優しくフィットする吸着性及び／又は通気性を備えた一層、又は多層でなる柔軟構造体で、
また形態の構造は、鼻当てに簡易に着脱できること、又は化粧肌に痕跡を与えず、かつ痕跡に起因する、肌のシミ、化粧崩れの防止が図れ、鼻当てと相似形で、鼻当ての表面の曲面形状に整合する形態を確保できる構造としたメガネの鼻当てに取付けられるパットである。
【００２１】
従って、請求項１は、軟質部材であって、化粧肌に優しくフィットする吸着性及び／又は通気性を備えた一層、又は多層でなる柔軟構造体で構成し、パットが肌に痕跡を与えないこと、またこの痕跡に起因する、肌のシミ、シワの発生を、極力少なくなること等の特徴を有する。また請求項１は、形態の特定を介して、前述と同様に、パットの形状が肌に痕跡を与えないこと、またこの痕跡に起因する、肌のシミ、シワの発生が、極力少なくできること等の実益を有する。さらに請求項１は、パットの形状を、鼻当てと相似形で、この鼻当ての表面の曲面形状に整合する構造としたので、メガネの着装に違和感がなく、また疲れない等の本来の機能を達成しつつ、かつ前述の特徴を発揮できる実用的なメガネ用のパットの提供が図れる実益がある。
【００２２】
請求項２の考案は、請求項１に記載のメガネの鼻当てに取付けられるパットであって、
パットの何れかの一面に、文字及び／又は図柄を刻印するか、又は着色する構造としたメガネの鼻当てに取付けられるパットである。
【００２３】
従って、請求項２は、請求項１の目的を達成できること、この目的を達成するのに、最適で、文字の備えたパワーを発揮できるパットの構造を提供できること等の特徴を有する。
【００２４】
請求項３の考案は、請求項１に記載のメガネの鼻当てに取付けられるパットであって、
パットに、文字及び／又は図柄の孔を開設する構造としたメガネの鼻当てに取付けられるパットである。
【００２５】
従って、請求項３は、請求項１の目的を達成できること、この目的を達成するのに、最適で、面白味のあるパットの構造（形態の特性）を提供できること等の特徴を有する。
【００２６】
請求項４の考案は、請求項１に記載のメガネの鼻当てに取付けられるパットであって、
パットの形状を、長手方向及び／又は短手方向に、前記鼻当ての内側面、又は下側面に延設されて緩衝帯域を形成する構造としたメガネの鼻当てに取付けられるパットである。
【００２７】
従って、請求項４は、請求項１の目的を達成できること、この目的を達成するのに、最適で、実用に適するために、緩衝帯域を備えたパットの構造を提供できること等の特徴を有する。
【００２８】
請求項５の考案は、請求項１に記載のメガネの鼻当てに取付けられるパットであって、
パットの形状を、長手方向及び／又は短手方向に、一部が欠截される構造としたメガネの鼻当てに取付けられるパットである。
【００２９】
従って、請求項５は、請求項１の目的を達成できること、この目的を達成するのに、最適で、実用に適したパットの構造（形状）を提供できること等の特徴を有する。
【考案を実施するための最良の形態】
【００３０】
以下、本考案の実施の態様（形態）を説明する。
【００３１】
図面の説明をすると、図１は本考案のパットを取付けたメガネ（以下、メガネとする）の使用状態（着用状態）を示した斜視図、図２は本考案の第一実施例のメガネの正面視した斜視図、図３は本考案の第一実施例のメガネの背面視した斜視図、図４は本考案の第一実施例のメガネの平面図、図５は本考案の第二実施例のメガネの正面視した斜視図、図６は本考案の第二実施例のメガネの背面視した斜視図、図７は本考案の第二実施例のメガネの平面図、図８−１〜図８−４はパットの正面（背面も可能、以下、同じ）に文字を刻設した模式図、図９−１〜図９−６はパットの正面に図柄を設けた模式図、図１０−１は剥離の容易なパットの正面一部欠截の模式図、図１０−２は剥離跡の残らないパットの正面一部欠截の模式図、また図１１−１はパットの標準型の正面図、図１１−２は図１１−１のＡ−Ａ断面図、次に図１２−１はパット本体より延設し、鼻当ての内側面に至らしめた緩衝帯域を示した正面図、図１２−２は図１２−１のＡ−Ａ断面図、図１３−１はパットを長手方向において、半截した形状を示した正面図、図１３−２は図１３−１のＡ−Ａ断面図、尚、図１４−１はパットを短手方向において、半截した形状を示した正面図、図１４−２は図１４−１のＡ−Ａ断面図、そして、図１５−１はパットに丸形の孔の開設した一例を示した正面図、図１５−２は図１５−１の断面図、図１６−１はパットにハート形の孔の開設した一例を示した正面図、図１６−２は図１６−１の断面図、図１７はパットを、台紙に多数枚設け、必要とするパットを選択可能とした一例を示した模式図、図１８−１は台紙に設けたパットを簡易に離脱し、必要により鼻当ての内側面に簡易に貼着（装着、又は取付け）できる器具の斜視図、図１８−２は台紙からパットを取外す状態の、器具の使用の一例を示した斜視図、図１８−３はメガネの鼻当てにパットを取付ける状態の、器具の使用の一例を示した側面図である。
【００３２】
図において、１は各種類のメガネ、２はメガネ１の鼻当てである。そして、この鼻当て２には、当該鼻当て２と相似形で、鼻当て２の表面の曲面形状２ｂに整合する形態のパット３が貼着される。この形態では、例えば、鼻当て２に、簡易に、着脱できること、又は化粧肌に痕跡を与えず、かつこの痕跡に起因する、肌Ｈ１のシミ、化粧崩れ防止が図れと考えられる。尚、この素材を、気泡の割合を増やすことで、例えば、べとつき感の軽減と、又は前述した各特徴が発揮できるものと考えられ、大変有益である。
【００３３】
そして、パット３の素材は、軟質部材であって、化粧肌に優しくフィットする吸着性及び／又は通気性を備えた一層、又は多層（吸収・脱臭性フィルム体、不織布、又はスポンジ膜体を介在した）でなる柔軟構造体（不織布のシート基材及び／又は不織布のシート基材で表面にシボ「微細な凹凸」あり）で構成する。そして、場合により、和紙でも可能である。尚、このパット３は、その目的よりして、短期間の使用であるが、次のような状況では、着脱自在による取替えを主眼とする。その取替えが必要と考えられる一例として、老眼鏡、サングラス等のメガネ１の如く、着脱の回数が多い場合や、又はスポーツ・病院・研究所での流汗の場合（汗を多くかく場合）、その他化粧肌の場合の如く、汚れ、臭気、発汗、又は病気等の状況が考えられる。また、このパット３は、鼻当て２の形態、メガネ１の形態、目的及び／又は用途等により、形状及び／又は寸法は、適宜変更され、又は最適な形態、素材、色彩等が採用される。
【００３４】
またメガネ１の構造は、第一実施例の如く、鼻当て２が取付け具２ａを介して設けられた構造と、第二実施例の如く、メガネ１のフレーム１ａと一体となった構造とがあるが、何れの実施例も限定されず、採用可能である。そして、メガネ１のずれが発生し易く、また化粧肌に痕跡を与える可能性、及び／又はこの痕跡に起因する悪影響が発生し易いのは、汎用形のメガネ１で、例えば、市販のサングラス、簡易用のメガネ１、又は老眼鏡等の常時装着しないものが考えられる。そして、一例として、本考案で示した図１の如く、婦人の方で、かつ老眼鏡が対象となり易い。その理由は、この種の老眼鏡は、着脱の回数が多く、緩み易いことと、また婦人は、化粧の剥離に神経を使うこと等が考えられる。
【００３５】
以下、このパット３の好ましい、各例を説明すると、図８−１〜図１６−２に示した構造が挙げられる。
【００３６】
先ず、図８−１〜図８−４は、パット３の正面３ａ（又は背面３ｂ）に文字５を刻設した例であり、文字５の力を、装着する人Ｈ、又は他人（図示せず）に伝達し、例えば、図８−１の如く、元気付けること、図８−２の如く、祝すこと、図８−３の如く、祝日、即ち、正月を付すること、図８−４の如く、楽しみの一つである、お祭りを付すること等が考えられる。この文字５の構成は、一例であり、限定されることがないことは勿論である（他の構造も同じである）。そして、この背面３ｂとは、メガネ１のレンズ側（外側）であり、他人が視認できる。また正面３ａとは、顔側であり、他人が視認できない（他の例も同じであり、以下、省略する）。従って、この背面３ｂでは、他人へのアピールが、正面３ａでは、自己満足に有効であること等が考えられる（他の例も同じであり、以下、省略する）。
【００３７】
次に、図９−１〜図９−６は、パット３の正面３ａ（又は背面３ｂ）に図柄６（絵文字）を書した例であり、図柄６の力を、装着する人Ｈ等に伝達し、例えば、図９−１の如く、心が躍るハートマークを付すること、図９−２の如く、モチーフとして星を付すること、図９−３の如く、面白味として、携帯電話を付すること、図９−４の如く、食の楽しみの一つである、サクランボを付すること、図９−５の如く、香りの楽しみとして、香水を付すること、図９−６の如く、結婚、装飾の楽しみの一つである、指輪を付すること等が考えられる。そして、この図柄６の構造では、装飾性、意外性、識別性（メガネ１及び／又はパット３等の識別性）の向上が図れると考えられる（他の実施例も同じ）。さらに、この実施例では、利便性の向上、又はパット３を採用することによる種々の利点を享受できると考えられる（他の実施例も同じ）。
【００３８】
尚、図１０−１は、剥離の容易なパット３の正面３ａを一部欠截した模式図で、図１０−１は、剥離紙３００に摘み片３００ａを設けるように、その接着層３ｃを短くする構造であり、この摘み片３００ａを把持し、この接着層３ｃを容易に、露出可能とする。即ち、剥離の利便性を確保することを意図する。また図１０−２は、剥離紙３００に易剥離性を付与し、容易な剥離と、接着層３ｃの粘度を低くすることで、鼻当て２からパット３を取外した後、鼻当て２に接着剤が残らず（剥離跡が残らない）、かつべとつき感を軽減し、利便性と、鼻当て２及び／又はメガネ１の品質の確保を図る。
【００３９】
そして、図１１−１〜図１６−２は、パット３の形態（形状）に関する各例であり、図１１−１はパット３の標準型の正面図であり、正面視して楕円形で、前述したパット３の構造である。そして、図１１−２は図１１−１のＡ−Ａ断面図を示している。また図１２−１はパット本体３−１より延設し、鼻当て２の内側面２００（メガネ１の荷重が、最も肌Ｈ１にかかる、鼻当て２の部位）に至らしめた緩衝帯域３ｄを示した正面図で、人Ｈの肌Ｈ１への接触を緩衝し、前述した如く、化粧肌に痕跡を与えず、かつこの痕跡に起因する、肌Ｈ１のシミ、化粧崩れの防止が図れと考えられる。そして、図１２−２は図１２−１のＡ−Ａ断面図を示している。
【００４０】
さらに図１３−１〜図１５−２は、パット３を特殊な形態（形状）としたものであり、先ず、図１３−１はパット３を、その長手方向「矢印イ」において、半截した形状を示した構造であり、肌Ｈ１への接触面積を軽減し、前述した、例えば、化粧肌に痕跡を与えず、かつこの痕跡に起因する、肌Ｈ１のシミ、化粧崩れの防止と、また熱気からの解除、汗の発生抑制等が図れると考えられる。さらに材料及び／又は重さ等の軽減化が図れる実益も或る。そして、図１３−２は図１３−１のＡ−Ａ断面図を示している。尚、図１４−１はパット３を短手方向「矢印ロ」において、半截した形状を示した構造であり、その特徴は、前述の図１３−１に準ずる。そして、図１４−２は図１４−１のＡ−Ａ断面図を示している。さらには、図１５−１はパット３に丸形の孔３０２を開設した構造の一例を示したものであり、前述の図１３−１等に準ずるとともに、さらに装飾性、意外性、識別性の向上が図れることは、他の実施例よりも顕著に考えられる。そして、図１５−２は図１５−１のＡ−Ａ断面図を示している。また図１６−１はパット３にハート形の孔３０２の開設した構造の一例を示したものであり、前述の図１３−１、図１５−１等に準ずる。そして、図１６−２は図１６−１のＡ−Ａ断面図を示している。そして、この実施例では、パット３の形態（形状）による前述の各特性と、利便性の向上、又はパット３を採用することによる種々の利点を、一層享受できると考えられる。
【００４１】
以上で、個別に説明した各実施例は、その構造を、図示した他の実施例への転用は、可能である。この転用の構造では、さらに相乗的な特徴が発揮できる。
【００４２】
また図１７はパット３を、台紙８に多数枚設け、必要とするパット３を選択可能とした一例を示した模式図であり、気分転換用としての利用と、小売店等の店において、単独販売用としての利用とが図れ、利便性や経済性の向上、話題の基となること等の役割が図れると考えられる。そして、この例では、剥離後には、直接、接着層３ｃが設けられる構造とすることで、利便性と、迅速な対応ができる。
【００４３】
尚、図示しないが、文字５や図柄６をパット３に付加する方法としては、刻印や、様々な着色による方法が考えられる。左右のパット３で、異なる色の文字５や図柄６を着色する等、パット３をファッション感覚で楽しむことも考えられる。また、文字５や図柄６を付したい個所を、プレス等の圧力によって圧縮させ、パット３と肌Ｈ１の接触面積を調節することも可能である。
【００４４】
そして、図１８−１、図１８−２は、台紙８に設けたパット３を簡易に離脱させ、必要により鼻当て２の内側面２００に簡易に、かつ確実に正しい位置に貼着できる器具１０の一例と、この器具１０の取扱いの一例を示してあり、以下、説明する。台紙８に設けた折曲げ用の線（図１８−２において点線で示す）で台紙８を折り曲げ（矢印Ａ）、パット３の背面３ｂを台紙８から一部剥離させ、その剥離したパット３の背面３ｂに、器具１０の先部に突出したへら形の庇部１０ａの上面を貼着させ（矢印Ｂ）、台紙８のパット３を掬い、かつ剥離する。この庇部１０ａの上面に、パット３を保持した状態で、器具１０の庇部１０ａ下の先端内側１０ｂを、鼻当て２の開放側の端部（例えば、内側面２００）に当接することで、このパット３を、この鼻当て２に誘導する。この誘導を介して、パット３を、簡易かつ確実に、正しい貼着箇所に移動できる。その後は、パット３の自由端側を、指１１を介して、押圧かつ撓ませながら貼着する（矢印Ｃ）。そして、器具１０を取外す（矢印Ｄ）。この撓みの確保と、貼着後の肌への緩衝とを意図して、前述した、柔軟構造体を採用する。そして、このパット３と器具１０を、図示しない、携帯ケースに収納することが、簡便であるとともに、上品（気品）であり、婦人には最適である。尚、台紙８に設ける折曲げ用の線の位置や長さ形態等は、適宜変更可能である。また、図示のように器具１０の庇部１０ａの上面を傾斜させることで、鼻当て２への貼着と、その後の器具１０の取外しがスムーズに行われるものと考えられる。
【００４５】
尚、パット３には、図示しないが、居眠り検知センサを装備し、車輌の安全走行と、事故防止とを図ることも可能である。殊に、メガネ１の中のサングラスが有効である。また、この検知センサは、切換えスッチを設ける。さらにパット３には、図示しないが、位置検知センサ（ＧＰＳ）を装備し、子供、老人等の人の安全確保と、誘拐・事故・徘徊・迷い人（子供、老人等）防止と、並びに省人化等を図ることも可能である。また、この位置検知センサは、切換えスッチを設ける。そして、また、エアバック機能を配備し、安全性と、意外性の確保を図ることも可能である。このエアバックには、切換えスイッチむを設ける。
【図面の簡単な説明】
【００４６】
【図１】図１は本考案のパットを取付けたメガネ（以下、メガネとする）の使用状態（着用状態）を示した斜視図
【図２】図２は本考案の第一実施例のメガネの正面視した斜視図
【図３】図３は本考案の第一実施例のメガネの背面視した斜視図
【図４】図４は本考案の第一実施例のメガネの平面図
【図５】図５は本考案の第二実施例のメガネの正面視した斜視図
【図６】図６は本考案の第二実施例のメガネの背面視した斜視図
【図７】図７は本考案の第二実施例のメガネの平面図
【図８−１】図８−１はパットの正面に元気の文字を刻設した模式図
【図８−２】図８−２はパットの正面にお祝いの文字を刻設した模式図
【図８−３】図８−３はパットの正面に正月の文字を刻設した模式図
【図８−４】図８−４はパットの正面にお祭りの文字を刻設した模式図
【図９−１】図９−１はパットの正面にハートの図柄を設けた模式図
【図９−２】図９−２はパットの正面に星の図柄を設けた模式図
【図９−３】図９−３はパットの正面に携帯電話の図柄を設けた模式図
【図９−４】図９−４はパットの正面にサクランボの図柄を設けた模式図
【図９−５】図９−５はパットの正面に香水容器の図柄を設けた模式図
【図９−６】図９−６はパットの正面に指輪の図柄を設けた模式図
【図１０−１】図１０−１は剥離の容易なパットの正面一部欠截の模式図
【図１０−２】図１０−２は剥離跡の残らないパットの正面一部欠截の模式図
【図１１−１】図１１−１はパットの標準型の正面図
【図１１−２】図１１−２は図１１−１のＡ−Ａ断面図
【図１２−１】図１２−１はパット本体より延設し、鼻当ての内側面に至らしめた緩衝帯域を示した正面図
【図１２−２】図１２−２は図１２−１のＡ−Ａ断面図
【図１３−１】図１３−１はパットを長手方向において、半截した形状を示した正面図
【図１３−２】図１３−２は図１３−１のＡ−Ａ断面図
【図１４−１】図１４−１はパットを短手方向において、半截した形状を示した正面図
【図１４−２】図１４−２は図１４−１のＡ−Ａ断面図
【図１５−１】図１５−１はパットに丸形の孔の開設した一例を示した正面図
【図１５−２】図１５−２は図１５−１の断面図
【図１６−１】図１６−１はパットにハート形の孔の開設した一例を示した正面図
【図１６−２】図１６−２は図１６−１の断面図
【図１７】図１７はパットを、台紙に多数枚設け、必要とするパットを選択可能とした一例を示した模式図
【図１８−１】図１８−１は台紙に設けたパットを簡易に離脱し、必要により鼻当ての内側面に簡易に貼着できる器具の斜視図
【図１８−２】図１８−２は器具の使用の一例を示した斜視図
【図１８−３】図１８−３はメガネの鼻当てにパットを取付ける状態の、器具の使用の一例を示した側面図
【符号の説明】
【００４７】
１              メガネ
１ａ            フレーム
２              鼻当て
２ａ            取付け具
２ｂ            曲面形状
２００          内側面
３              パット
３ａ            正面
３ｂ            背面
３ｃ            接着層
３ｄ            緩衝帯域
３００          剥離紙
３００ａ        摘み片
３０１          易剥離紙
３０２          孔
３−１          パット本体
５              文字
６              図柄
８              台紙
１０            器具
１０ａ          庇部
１０ｂ          先端内側
１１            指
Ｈ              人
Ｈ１            肌
【図１】
0003136076.tif 000003
【図２】
0003136076.tif 000004
【図３】
0003136076.tif 000005
【図４】
0003136076.tif 000006
【図５】
0003136076.tif 000007
【図６】
0003136076.tif 000008
【図７】
0003136076.tif 000009
【図８−１】
0003136076.tif 000010
【図８−２】
0003136076.tif 000011
【図８−３】
0003136076.tif 000012
【図８−４】
0003136076.tif 000013
【図９−１】
0003136076.tif 000014
【図９−２】
0003136076.tif 000015
【図９−３】
0003136076.tif 000016
【図９−４】
0003136076.tif 000017
【図９−５】
0003136076.tif 000018
【図９−６】
0003136076.tif 000019
【図１０−１】
0003136076.tif 000020
【図１０−２】
0003136076.tif 000021
【図１１−１】
0003136076.tif 000022
【図１１−２】
0003136076.tif 000023
【図１２−１】
0003136076.tif 000024
【図１２−２】
0003136076.tif 000025
【図１３−１】
0003136076.tif 000026
【図１３−２】
0003136076.tif 000027
【図１４−１】
0003136076.tif 000028
【図１４−２】
0003136076.tif 000029
【図１５−１】
0003136076.tif 000030
【図１５−２】
0003136076.tif 000031
【図１６−１】
0003136076.tif 000032
【図１６−２】
0003136076.tif 000033
【図１７】
0003136076.tif 000034
【図１８−１】
0003136076.tif 000035
【図１８−２】
0003136076.tif 000036
【図１８−３】
0003136076.tif 000037